(57)【要約】【課題】  木の葉にじゃまされず鳥がとまらず、雷による被害を受けづらい防葉兼防鳥兼避雷装置を提供する。【解決手段】  雷電流を大地に流すアース線と、雨センサや雪センサなどのセンサーケーブルを覆うシールド線のシールド部もしくはセンサーケーブルを通す金属配管と、カゴ状金属立体物を電気的に接続した防葉兼防鳥兼避雷装置。【選択図】        図１
2005129474.tif 000002
【特許請求の範囲】
【請求項１】
１つ以上の先端が尖った針を備え、全部もしくは一部が網目状であり、該網目が雨滴や雪辺が通過するに充分でかつ木の葉が入り込まない大きさの隙間を有したカゴ状金属立体物において、該カゴ状金属立体物内に納められた雨センサや雪センサなどに木の葉が覆い被さったり鳥がとまることを防止し落雷時には前記雨センサや雪センサなどを雷電流から保護する装置であって、被雷時に該カゴ状金属立体物から雷電流を大地に流すためのアース線を接続したことを特徴とする防葉兼防鳥兼避雷装置。
【請求項２】
前記雨センサや雪センサなどの電源及び信号線を通すシールド線のシールド部と前記カゴ状金属立体物を接続したことを特徴とする請求項１記載の防葉兼防鳥兼避雷装置。
【請求項３】
前記雨センサや雪センサなどの電源及び信号線を通す金属配管と前記カゴ状金属立体物を接続したことを特徴とする請求項１記載の防葉兼防鳥兼避雷装置。
【請求項４】
前記雨センサや雪センサなどを垂直に設置した場合における前記カゴ状金属立体物の先端が上を向いたことを特徴とする請求項２又は３記載の防葉兼防鳥兼避雷装置。
【発明の詳細な説明】
【発明の詳細な説明】
【技術分野】
【０００１】  本発明は、空中や壁面に設置される雨センサや雪センサなどに木の葉が覆い被さったり鳥がとまってフンをするなどの行為を防止し、かつその雨センサや雪センサなどを落雷電流から保護するための防葉兼防鳥兼避雷装置に関する。
【背景技術】
【０００２】  雨センサや雪センサとして電極間に交流電圧を印加し電極間の電流又は静電容量の変化を検出する方法は実開昭６４−３０４７０号に開示されており、その雨センサや雪センサを天窓開閉制御装置に取りつける方法は実告平４−１２８９７号に開示されている。この原理による雨センサや雪センサなどは、電極面を空に向けて雨や雪を受けざるを得ない構造となり、必然的に鳥が止まり易く鳥のフン害を防止するために防鳥針などを設けるなどの工夫もされてきた。また、雨センサや雪センサなどの電極面が空を向き、この電極面とセンサ・ケーブルに落雷電流が流れ、雨センサや雪センサなど本体と、雨センサや雪センサなどを接続する制御回路を破壊するなどの影響を受けやすいものとなっていた。この落雷電流の影響をなるべく少なくしようとしてセンサケーブルにシールド線を使用したり、金属配管内にセンサ・ケーブルを通すなどの工夫もされてきた。しかし、センサの電極面を絶縁体でコーティングしたとしてもセンサの電極面は金属を介さずに空中に剥き出しになっており、落雷による被害を免れることはできない。
【発明が解決しようとする課題】
【０００３】  電極面を空に向けて設置するタイプの雨センサや雪センサなどは、木の葉が覆い被さったり鳥がとまりやすく鳥のフンによってセンサが誤動作を起こしてしまうことと、空に向けたセンサの電極面に落雷電流が流れセンサ本体やセンサを接続する制御回路を破壊してしまうことの欠点を抱えていた。本発明の目的は、木の葉が覆い被らず鳥がとまらず、雷による被害を受けづらい防葉兼防鳥兼避雷装置を提供することである。
【課題を解決するための手段】
【０００４】  本発明は、上記の目的を達するために次の構成を設ける。
雨センサや雪センサなどを覆う形で、１つ以上の先端が尖った針を備え、全部もしくは一部が網目状であり、該網目が雨滴や雪辺が通過するに充分でかつ木の葉が入り込まない大きさの隙間を有したカゴ状金属立体物と、カゴ状金属立体物から雷電流を大地に流すアース線と、雨センサや雪センサなどのセンサーケーブルを覆うシールド線のシールド部もしくはセンサーケーブルを通す金属配管と、を有しカゴ状金属立体物と前期シールド部もしくは金属配管とアース線が電気的に接続されており、落雷が前記電気的に接続されたいづれの部位に起きてもアース線を通して大地に雷電流を流すことにより、カゴ状金属立体物内部に配置されたセンサ本体やセンサを接続する制御回路を保護することができる。また、カゴ状金属立体物の先端を十分尖らせることにより鳥がとまることを防止できかつ雨センサや雪センサなどの表面に木の葉が覆い被さることを防ぐことができる。
【発明を実施するための最良の形態】
【０００５】  本発明の第１の実施形態を実施例にもとづき図１、図２及び図５を参照して説明する。図１は本実施形態における全体図、図２は図１を曲線デザイン化した外観図、図５はカゴ状金属立体物の断面図である。
図１において、１は雨センサや雪センサなどのセンサ部、２はカゴ状金属立体物、３は金属配管、４はアース線である。
図５において、５は雨滴、６はセンサ電極、７は木の葉、８はセンサ電極６とカゴ状金属立体物２との最短距離を示している。
センサ部１は、１つ以上の先端が尖った針を備え全部もしくは一部が網目状でありその網目は雨滴や雪辺が通過するに充分な隙間でかつ木の葉が入り込まない大きさの隙間を有したカゴ状金属立体物２の内部に設置され、金属配管３はカゴ状金属立体物２と接続され、センサーケーブルは金属配管３の中を通って電気的にシールドされている。金属配管３の替わりにセンサーケーブルにシールド線を使用して、カゴ状金属立体物２とシールド線のシールド部とアース線４を電気的に接続してもよい。カゴ状金属立体物２の先端は、充分尖らせると共に、カゴ状金属立体物２の外辺の傾斜角度は鳥がとまらないために４５度以上の勾配を設けることが望ましい。アース線４は、一方は金属配管３と接続されもう一方は大地に通じている。
図５に示すように、カゴ状金属立体物２の網目の大きさは雨滴５や雪辺が充分通過する隙間が空いており、雨滴５や雪辺はセンサ部１に到達して雨センサや雪センサなどが正常に動作する。同時に、カゴ状金属立体物２の網目の大きさは木の葉７が入りこまない大きさでなければならない。センサ電極６とカゴ状金属立体物２との最短距離８は、落雷時にカゴ状金属立体物２から空気中の絶縁破壊が起きてセンサ電極６に雷電流が流れないために、最低１０ｍｍ以上を確保する必要がある。【０００６】  作用について説明する。通常時は、センサ部１がカゴ状金属立体物２の隙間を通って到達してきた雨滴５や雪辺を検知して動作し、同時にカゴ状金属立体物２の尖った先端をいやがって鳥がとまることを防止し、またカゴ状金属立体物２は木の葉７などがセンサ部１に覆い被さって誤動作させることを予防する。落雷時には、カゴ状金属立体物２、金属配管３及びアース線４のいづれに被雷しても、雷電流はアース線４を通って大地に流れて、雨センサや雷センサなど本体と、雨センサや雪センサなどを接続する制御回路を守ることができる。【０００７】  次に、本発明の第２の実施形態について図３を参照して説明する。
図３は本実施形態におけるカゴ状金属立体物２の外観図である。図３において、９はパンチングメタル、１０は金属製網、１１は金属製防鳥針である。センサ部１は内部に設置されている。図３において、カゴ状金属立体物２は製作上の容易さを考慮して直方体として構成している。カゴ状金属立体物２の側面はパンチングメタル９で構成し、上面には金属製網１０を配し、四隅に金属製防鳥針１１を設けた。パンチングメタル９と金属製網１０の隙間空間は、雨滴５や雪辺が充分通過する大きさ以上で、木の葉７が入りこまない大きさ以下とする。カゴ状金属立体物２を直方体としたため鳥がとまり易い形状となったのであえて四隅に金属製防鳥針１１を設けているが、金属製防鳥針１１をさらに増やしてもよいし、センサ部１が５０ｍｍ角以下の小さい場合には、金属製防鳥針１１を減らしてもよい。図３の実施形態において、カゴ状金属立体物２の側面及び上面が、パンチングメタル９や金属製網１０などのいずれの組合せを採用してもよい。【０００８】  次に、本発明の第３の実施形態について図４を参照して説明する。
図４は、雨センサや雪センサなどのセンサ部１が集雨集雪漏斗によって導かれる円筒形のカゴ状金属立体物２の外観図である。図４において、１２は円筒の側面部分である。図４において、カゴ状金属立体物２は製作上の容易さを考慮して円筒形として構成している。円筒形の側面部分１２は、穴を空けて通気性を確保しても良いし、穴を空けずに蔽う形でも良い。上面には金属製網１０を配し、四箇所に金属製防鳥針１１を設けた。金属製網１０の隙間空間は、雨滴５や雪辺が充分通過する大きさ以上で、木の葉７が入りこまない大きさ以下とする。カゴ状金属立体物２を円筒形としたため鳥がとまり易い形状となったのであえて四箇所に金属製防鳥針１１を設けているが、金属製防鳥針１１をさらに増やしてもよいし、円筒の直径が１００ｍｍ以下の小さい場合には、金属製防鳥針１１を減らしてもよい。【０００９】  次に、本発明の第４の実施形態について図６を参照して説明する。
図６は，雨センサや雪センサなどを垂直に設置した場合におけるカゴ状金属立体物２の外観図である。全体の位置関係をつかみやすくするために図６においてはカゴ状金属立体物２の骨格４本と先端の針部分のみを描いてあるが、実施形態１と同じようにカゴ状金属立体物２は網目状に構成されておりその隙間空間は、雨滴５や雪辺が充分通過する大きさ以上で木の葉７が入りこまない大きさ以下となっておりセンサ部１を蔽う形で設置される。
【発明の効果】
【００１０】  本発明によれば、木の葉に覆われることなく鳥がとまらず、雷による被害を受けづらい防葉兼防鳥兼避雷装置を安価に提供することができる。
【図面の簡単な説明】
【図１】本発明の第１の実施形態における全体図。
【図２】本発明の第１の実施形態における曲線デザイン化したカゴ状金属立体物の外観図。
【図３】本発明の第２の実施形態におけるカゴ状金属立体物の外観図。
【図４】本発明の第３の実施形態におけるカゴ状金属立体物の外観図。
【図５】カゴ状金属立体物の断面図。
【図６】本発明の第４の実施形態におけるカゴ状金属立体物の外観図。
【符号の説明】
１  センサ部
２  カゴ状金属立体物
３  金属配管
４  アース線
５  雨滴
６  センサ電極
７  木の葉
８  最短距離
９  パンチングメタル
１０  金属製網
１１  金属製防鳥針
１２  円筒の側面部分
【図１】
2005129474.tif 000003
【図２】
2005129474.tif 000004
【図３】
2005129474.tif 000005
【図４】
2005129474.tif 000006
【図５】
2005129474.tif 000007
【図６】
2005129474.tif 000008